(57)【特許請求の範囲】
【請求項１】
少なくとも１つの無線端末と無線通信を実行可能に構成された無線基地局であって、
起動状態、及び、少なくとも１つのスリープ状態のいずれかの作動状態に当該無線基地局の状態を設定する作動状態設定手段を備え、
前記起動状態は、前記無線端末と予め定められた第１の通信方式に従った無線通信を実行可能な状態であり、
前記スリープ状態は、信号を受信するために必要とされる電力が前記第１の通信方式よりも小さい第２の通信方式に従った起動指示信号を受信可能であり且つ前記無線端末と当該第１の通信方式に従った無線通信を実行不能な状態であり、
前記作動状態設定手段は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成され、
前記作動状態設定手段は、
前記無線端末により送信された無線端末情報を受信し、当該受信された無線端末情報に基づいて前記ＲＯＤレベルを選択するように構成された無線基地局。
【請求項２】
請求項１に記載の無線基地局であって、
前記作動状態設定手段は、
前記選択されたＲＯＤレベルがＲＯＤ非対応値を表す場合、非ＲＯＤ制御を実行し、一方、前記選択されたＲＯＤレベルがＲＯＤ非対応値以外の値を表す場合、ＲＯＤ制御を実行するように構成され、
前記非ＲＯＤ制御は、
前記起動状態に当該無線基地局の状態を設定し、
前記ＲＯＤ制御は、
当該無線基地局の状態が前記起動状態である場合において、所定のスリープ条件が成立したとき、当該無線基地局の状態を前記スリープ状態に設定し、且つ、
当該無線基地局の状態が前記スリープ状態である場合において、前記起動指示信号を受信したとき、当該無線基地局の状態を前記起動状態に設定する、無線基地局。
【請求項３】
請求項２に記載の無線基地局であって、
前記作動状態設定手段は、
前記起動状態、及び、複数の前記スリープ状態のいずれかの作動状態に当該無線基地局の状態を設定するように構成され、
前記複数のスリープ状態は、当該無線基地局が消費する電力の量である消費電力量が互いに異なり、
前記ＲＯＤ制御は、
当該無線基地局の状態が前記起動状態である場合において、前記スリープ条件が成立したとき、当該無線基地局の状態を、前記選択されたＲＯＤレベルと予め対応付けられたスリープ状態に設定する、無線基地局。
【請求項４】
請求項３に記載の無線基地局であって、
電力が供給されることにより作動する複数のモジュールを備えるとともに、当該複数のモジュールのそれぞれへの電力の供給を停止可能に構成され、
前記複数のスリープ状態のそれぞれは、当該スリープ状態と予め対応付けられたモジュールへの電力の供給を停止させる状態である無線基地局。
【請求項５】
請求項３又は請求項４に記載の無線基地局であって、
前記作動状態設定手段は、
当該無線基地局の状態を、前記起動状態から、前記選択されたＲＯＤレベルと予め対応付けられたスリープ状態へ移行させる際、前記消費電力量が徐々に小さくなるように当該無線基地局の状態を変更するように構成された無線基地局。
【請求項６】
請求項３乃至請求項５のいずれかに記載の無線基地局であって、
前記作動状態設定手段は、
当該無線基地局の状態を、前記スリープ状態から前記起動状態へ移行させる際、前記消費電力量が徐々に大きくなるように当該無線基地局の状態を変更するように構成された無線基地局。
【請求項７】
請求項２乃至請求項６のいずれかに記載の無線基地局であって、
前記作動状態設定手段は、
前記無線端末と当該無線基地局との間の無線通信が終了した場合、当該無線通信が終了した時点から、次の無線通信が開始するまでのアイドル時間を推定するように構成され、
前記スリープ条件は、前記推定されたアイドル時間が予め設定された第１の閾値よりも長いという条件である無線基地局。
【請求項８】
請求項２乃至請求項７のいずれかに記載の無線基地局であって、
前記作動状態設定手段は、
前記無線端末と当該無線基地局との間の無線通信が終了した場合、次の無線通信である次回通信が開始してから当該次回通信が終了するまでの次回通信時間を推定するように構成され、且つ、
前記推定された次回通信時間が予め設定された第２の閾値よりも短い場合、前記次回通信を開始するために前記無線端末によって送信される前記起動指示信号を受信したとき、当該無線基地局の状態を前記スリープ状態に維持するように構成された無線基地局。
【請求項９】
少なくとも１つの無線端末と無線通信を実行可能に構成された無線基地局に適用される無線基地局制御方法であって、
起動状態、及び、少なくとも１つのスリープ状態のいずれかの作動状態に当該無線基地局の状態を設定し、
前記起動状態は、前記無線端末と予め定められた第１の通信方式に従った無線通信を実行可能な状態であり、
前記スリープ状態は、信号を受信するために必要とされる電力が前記第１の通信方式よりも小さい第２の通信方式に従った起動指示信号を受信可能であり且つ前記無線端末と当該第１の通信方式に従った無線通信を実行不能な状態であり、
前記無線基地局制御方法は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成され、
前記無線基地局制御方法は、
前記無線端末により送信された無線端末情報を受信し、当該受信された無線端末情報に基づいて前記ＲＯＤレベルを選択する無線基地局制御方法。
【請求項１０】
少なくとも１つの無線端末と無線通信を実行可能に構成された無線基地局が実行する無線基地局制御プログラムであって、
前記無線基地局に、
起動状態、及び、少なくとも１つのスリープ状態のいずれかの作動状態に当該無線基地局の状態を設定する処理を実行させるように構成され、
前記起動状態は、前記無線端末と予め定められた第１の通信方式に従った無線通信を実行可能な状態であり、
前記スリープ状態は、信号を受信するために必要とされる電力が前記第１の通信方式よりも小さい第２の通信方式に従った起動指示信号を受信可能であり且つ前記無線端末と当該第１の通信方式に従った無線通信を実行不能な状態であり、
前記処理は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成され、
前記処理は、
前記無線端末により送信された無線端末情報を受信し、当該受信された無線端末情報に基づいて前記ＲＯＤレベルを選択する無線基地局制御プログラム。
【発明の詳細な説明】
【技術分野】
【０００１】
本発明は、少なくとも１つの無線端末と無線通信を実行可能に構成された無線基地局に関する。
【背景技術】
【０００２】
少なくとも１つの無線端末と無線通信を実行可能に構成された無線基地局が知られている。この種の無線基地局の一つとして、特許文献１に記載の無線基地局は、無線端末と、予め定められた第１の通信方式に従った無線通信を実行可能な状態である起動状態に状態が設定される。無線端末は、第１の通信方式に従った無線通信を無線基地局と行う。
【先行技術文献】
【特許文献】
【０００３】
【特許文献１】特開２００９−１２４４６１号公報
【発明の概要】
【発明が解決しようとする課題】
【０００４】
ところで、上記無線基地局は、無線端末が無線通信可能な領域内に存在しない場合であっても、状態が起動状態に設定され続ける。従って、無線基地局が消費する電力の量が無駄に過大となるという問題があった。
【０００５】
そこで、予め定められたスリープ条件が成立したとき、上記無線基地局の状態をスリープ状態に設定するように無線基地局を構成することが好適であると考えられる。ここで、スリープ状態は、信号を受信するために必要とされる電力が第１の通信方式よりも小さい第２の通信方式に従った起動指示信号を受信可能であり、且つ、無線端末と第１の通信方式に従った無線通信を実行不能な状態である。
【０００６】
ところで、一般に、伝送レートが小さい通信方式ほど、その通信方式に従った信号を受信するために必要とされる電力も小さい。ここで、伝送レートは、単位時間あたりに伝送されるデータの量である。従って、第２の通信方式は、第１の通信方式よりも伝送レートが小さい通信方式である。
【０００７】
この場合、無線端末は、起動指示信号を無線基地局へ送信する。無線基地局は、起動指示信号を受信すると、無線基地局の状態を起動状態に設定する。その後、無線端末は、無線基地局と通信する。これによれば、無線基地局が消費する電力の量を低減することができる。
【０００８】
ところで、無線端末が、起動指示信号を送信不能な端末である場合、この無線端末は、無線基地局と通信を行うことができない場合が生じる。従って、起動指示信号を送信不能な無線端末との間で確実に無線通信を行うためには、無線基地局の状態を起動状態に維持することが好適である。
【０００９】
一方、起動指示信号を送信不能な無線端末との間で無線通信を行うことよりも、無線基地局が消費する電力の量を低減することを優先することが好適である場合もある。しかしながら、上記のように構成された無線基地局によれば、無線基地局の状態を状況に応じて適切に設定することができないという問題があった。
【００１０】
このため、本発明の目的は、上述した課題である「無線基地局の状態を状況に応じて適切に設定することができない場合が生じること」を解決することが可能な無線基地局を提供することにある。
【課題を解決するための手段】
【００１１】
かかる目的を達成するため本発明の一形態である無線基地局は、少なくとも１つの無線端末と無線通信を実行可能に構成された無線基地局である。
【００１２】
更に、この無線基地局は、
起動状態、及び、少なくとも１つのスリープ状態のいずれかの作動状態に当該無線基地局の状態を設定する作動状態設定手段を備え、
上記起動状態は、上記無線端末と予め定められた第１の通信方式に従った無線通信を実行可能な状態であり、
上記スリープ状態は、信号を受信するために必要とされる電力が上記第１の通信方式よりも小さい第２の通信方式に従った起動指示信号を受信可能であり且つ上記無線端末と当該第１の通信方式に従った無線通信を実行不能な状態であり、
上記作動状態設定手段は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成される。
【００１３】
また、本発明の他の形態である無線基地局制御方法は、少なくとも１つの無線端末と無線通信を実行可能に構成された無線基地局に適用される方法である。
【００１４】
更に、この無線基地局制御方法は、
起動状態、及び、少なくとも１つのスリープ状態のいずれかの作動状態に当該無線基地局の状態を設定し、
上記起動状態は、上記無線端末と予め定められた第１の通信方式に従った無線通信を実行可能な状態であり、
上記スリープ状態は、信号を受信するために必要とされる電力が上記第１の通信方式よりも小さい第２の通信方式に従った起動指示信号を受信可能であり且つ上記無線端末と当該第１の通信方式に従った無線通信を実行不能な状態であり、
上記無線基地局制御方法は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成される。
【００１５】
また、本発明の他の形態である無線基地局制御プログラムは、少なくとも１つの無線端末と無線通信を実行可能に構成された無線基地局が実行するプログラムである。
【００１６】
更に、この無線基地局制御プログラムは、
上記無線基地局に、
起動状態、及び、少なくとも１つのスリープ状態のいずれかの作動状態に当該無線基地局の状態を設定する処理を実行させるように構成され、
上記起動状態は、上記無線端末と予め定められた第１の通信方式に従った無線通信を実行可能な状態であり、
上記スリープ状態は、信号を受信するために必要とされる電力が上記第１の通信方式よりも小さい第２の通信方式に従った起動指示信号を受信可能であり且つ上記無線端末と当該第１の通信方式に従った無線通信を実行不能な状態であり、
上記処理は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成される。
【発明の効果】
【００１７】
本発明は、以上のように構成されることにより、無線基地局の状態を状況に応じて適切に設定することができる。
【図面の簡単な説明】
【００１８】
【図１】本発明の第１実施形態に係る無線通信システムの概略構成を表す図である。
【図２】本発明の第１実施形態に係る無線基地局の構成を表すブロック図である。
【図３】本発明の第１実施形態に係る無線基地局が記憶するＲＯＤサポート表を表すテーブルである。
【図４】本発明の第１実施形態に係る無線基地局が実行する作動状態設定処理を示したフローチャートである。
【図５】ＲＯＤ非対応割合に対する、１時間あたりの無線基地局の消費電力量の変化を示したグラフである。
【図６】本発明の第１実施形態の第１変形例に係る無線基地局の構成を表すブロック図である。
【図７】本発明の第１実施形態の第２変形例に係る無線基地局が実行する作動状態設定処理の一部を示したフローチャートである。
【図８】本発明の第１実施形態の第４変形例に係る無線基地局の状態の変化を概念的に示した説明図である。
【図９】本発明の第１実施形態の第５変形例に係る無線基地局の状態の変化を概念的に示した説明図である。
【図１０】本発明の第１実施形態の第６変形例に係る無線基地局の状態の変化を概念的に示した説明図である。
【図１１】本発明の第２実施形態に係る無線基地局の状態の変化を概念的に示した説明図である。
【図１２】本発明の第２実施形態に係る無線基地局の状態の変化を概念的に示した説明図である。
【図１３】本発明の第２実施形態に係る無線基地局が実行する作動状態設定処理の一部を示したフローチャートである。
【図１４】本発明の第３実施形態に係る無線基地局の構成を表すブロック図である。
【発明を実施するための形態】
【００１９】
以下、本発明に係る、無線基地局、無線基地局制御方法、及び、無線基地局制御プログラム、の各実施形態について図１〜図１４を参照しながら説明する。
【００２０】
＜第１実施形態＞
（構成）
図１に示したように、第１実施形態に係る無線通信システム１は、無線基地局１０と、ＲＯＤ（Ｒａｄｉｏ  ｏｎ  Ｄｅｍａｎｄ）無線端末２０と、非ＲＯＤ無線端末３０と、通信端末４０と、を備える。
【００２１】
本例では、無線基地局１０、ＲＯＤ無線端末２０、及び、非ＲＯＤ無線端末３０は、無線ＬＡＮ（Ｌｏｃａｌ  Ａｒｅａ  Ｎｅｔｗｏｒｋ）（例えば、ＩＥＥＥ８０２．１１ａ、ＩＥＥＥ８０２．１１ｂ、ＩＥＥＥ８０２．１１ｇ、ＩＥＥＥ８０２．１１ｊ、又は、ＩＥＥＥ８０２．１１ｎ等）を構成する。
【００２２】
なお、無線基地局１０、ＲＯＤ無線端末２０、及び、非ＲＯＤ無線端末３０は、移動体通信網、近距離無線通信網（例えば、Ｂｌｕｅｔｏｏｔｈ（登録商標）、及び、ＺｉｇＢｅｅ（登録商標）等）、ＷｉＭＡＸ、ＩＥＥＥ８０２．１１ａｈにより定められる通信網、ＩＥＥＥ１９００．６により定められる通信網等を構成していてもよい。
【００２３】
また、無線基地局１０は、基地局、Ａｃｃｅｓｓ  Ｐｏｉｎｔ、Ｂａｓｅ  Ｓｔａｔｉｏｎ、又は、Ｎｏｄｅ  Ｂとも呼ばれる。また、ＲＯＤ無線端末２０、及び、非ＲＯＤ無線端末３０のそれぞれは、無線端末、又は、Ｓｔａｔｉｏｎとも呼ばれる。
【００２４】
例えば、無線端末２０，３０は、パーソナル・コンピュータ、携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、スマートフォン、カーナビゲーション端末、又は、ゲーム端末等である。
【００２５】
無線基地局１０と通信端末４０とは、通信網（本例では、基幹通信網）ＮＷを介して互いに通信可能に接続されている。
ＲＯＤ無線端末２０、及び、非ＲＯＤ無線端末３０のそれぞれは、無線基地局１０と無線通信を行うことにより、無線基地局１０を介して通信端末４０と通信を行う（例えば、通信パケットを送受信する）。
【００２６】
本例では、ＲＯＤ無線端末２０は、第１のユーザにより携帯されている。従って、ＲＯＤ無線端末２０は、第１のユーザの移動に伴って移動する。同様に、非ＲＯＤ無線端末３０は、第２のユーザにより携帯されている。従って、非ＲＯＤ無線端末３０は、第２のユーザの移動に伴って移動する。
【００２７】
なお、無線通信システム１は、複数のＲＯＤ無線端末２０を備えていてもよい。また、無線通信システム１は、複数の非ＲＯＤ無線端末３０を備えていてもよい。
【００２８】
無線基地局１０は、ＲＯＤ無線端末２０、及び、非ＲＯＤ無線端末３０のそれぞれと無線通信を実行可能に構成される。具体的には、無線基地局１０は、無線基地局１０との間の距離が所定の閾値距離よりも短い無線端末２０，３０と無線通信を実行可能に構成される。
【００２９】
ＲＯＤ無線端末２０は、予め定められた起動指示（ウェイクアップ）信号を送信可能に構成される。非ＲＯＤ無線端末３０は、起動指示信号を送信不能に構成される。
【００３０】
より具体的に述べると、図２に示したように、無線基地局１０は、第１の通信制御部１１と、第２の通信制御部１２と、起動指示信号受信部１３と、パケット転送部１４と、状態制御部（作動状態設定手段）１５と、電力供給部１６と、を備える。
【００３１】
第１の通信制御部１１は、第１の通信方式に従った無線通信を実行するように構成される。本例では、第１の通信方式は、ＤＳＳＳ（Ｄｉｒｅｃｔ  Ｓｅｑｕｅｎｃｅ  Ｓｐｒｅａｄ  Ｓｐｅｃｔｒｕｍ）、ＣＣＫ（Ｃｏｍｐｌｅｍｅｎｔａｒｙ  Ｃｏｄｅ  Ｋｅｙｉｎｇ）、又は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）等である。
【００３２】
本例では、第１の通信方式は、周波数帯域として、２．４ＧＨｚ帯、又は、５ＧＨｚ帯を用いる。
第１の通信制御部１１は、無線端末２０，３０のそれぞれと無線通信を実行する。
【００３３】
更に、第１の通信制御部１１は、予め設定された送信周期が経過する毎に、無線基地局１０と無線通信可能であることを通知するためのビーコン信号（Ｂｅａｃｏｎフレーム）を送信する。本例では、ビーコン信号は、無線基地局１０を識別するための識別子（例えば、ＥＳＳＩＤ（Ｅｘｔｅｎｄｅｄ  Ｓｅｒｖｉｃｅ  Ｓｅｔ  Ｉｄｅｎｔｉｆｉｅｒ）、又は、ＢＳＳＩＤ（Ｂａｓｉｃ  Ｓｅｒｖｉｃｅ  Ｓｅｔ  Ｉｄｅｎｔｉｆｉｅｒ）等）を含む。
【００３４】
第２の通信制御部１２は、有線通信（通信ケーブルを介した通信）を実行するように構成される。第２の通信制御部１２は、通信網ＮＷを介して通信端末４０と通信を実行する。
【００３５】
なお、無線基地局１０は、２つの通信制御部（第１の通信制御部１１、及び、第２の通信制御部１２）を備えるが、３つ以上の通信制御部を備えていてもよい。
【００３６】
起動指示信号受信部１３は、第２の通信方式に従った起動指示信号を受信するように構成される。第２の通信方式は、信号を受信するために必要とされる電力が第１の通信方式よりも小さい通信方式である。
【００３７】
本例では、第２の通信方式は、ＯＯＫ（Ｏｎ  Ｏｆｆ  Ｋｅｙｉｎｇ）、ＡＳＫ（Ａｍｐｌｉｔｕｄｅ  Ｓｈｉｆｔ  Ｋｅｙｉｎｇ）、又は、ＦＳＫ（Ｆｒｅｑｕｅｎｃｙ  Ｓｈｉｆｔ  Ｋｅｙｉｎｇ）等である。本例では、第２の通信方式は、周波数帯域として、第１の通信方式と同じ周波数帯域を用いる。
【００３８】
パケット転送部１４は、第１の通信制御部１１を介して受信されたパケットを第２の通信制御部１２を介して送信するように構成される。更に、パケット転送部１４は、第２の通信制御部１２を介して受信されたパケットを第１の通信制御部１１を介して送信するように構成される。
【００３９】
また、パケット転送部１４は、第１の通信制御部１１を介して、後述する無線端末情報が受信された場合、受信された無線端末情報を状態制御部１５へ出力する。
【００４０】
状態制御部１５は、起動状態、及び、複数（本例では、３つ）のスリープ状態のいずれかの作動状態に無線基地局１０の状態を設定する。起動状態は、無線端末２０，３０と予め定められた第１の通信方式に従った無線通信を実行可能な状態である。複数のスリープ状態のそれぞれは、第２の通信方式に従った起動指示信号を受信可能であり、且つ、無線端末２０，３０と第１の通信方式に従った無線通信を実行不能な状態である。
【００４１】
本例では、複数のスリープ状態は、ライト・スリープ状態（第１のスリープ状態）、ミドル・スリープ状態（第２のスリープ状態）、及び、ディープ・スリープ状態（第３のスリープ状態）からなる。なお、複数のスリープ状態は、４つ以上のスリープ状態からなっていてもよいし、２つのスリープ状態からなっていてもよい。また、状態制御部１５は、起動状態、及び、１つのスリープ状態のいずれかの作動状態に無線基地局１０の状態を設定するように構成されていてもよい。
【００４２】
状態制御部１５は、複数のＲＯＤレベルの中から１つのＲＯＤレベルを選択（決定）し、選択されたＲＯＤレベルに基づいて無線基地局１０の状態を設定する。ＲＯＤレベルは、無線基地局１０の状態を制御する方法を特定するための情報である。
【００４３】
状態制御部１５は、ＲＯＤサポート表記憶部１５１と、ＲＯＤレベル選択部１５２と、を有する。ＲＯＤサポート表記憶部１５１は、図３に示したように、対応情報を含むＲＯＤサポート表を記憶する。１つの対応情報は、無線端末を識別するための無線端末識別情報と、ＲＯＤ情報と、要求レベル情報と、通信量情報と、を含む。
【００４４】
ＲＯＤ情報は、起動指示信号を送信可能であるか否かを表す情報である。本例では、ＲＯＤ情報としての「ＲＯＤ可」は、起動指示信号を送信可能である旨を表す。更に、ＲＯＤ情報としての「ＲＯＤ不可」は、起動指示信号を送信不能である旨を表す。
【００４５】
要求レベル情報は、無線端末２０，３０のユーザにより要求されるＲＯＤレベルを表す情報である。要求レベル情報は、無線端末２０，３０により送信される無線端末情報に含まれる。要求レベル情報は、無線端末２０，３０のユーザにより入力された情報であってもよいし、無線端末２０，３０が生成した情報であってもよい。
【００４６】
通信量情報は、無線端末２０，３０と無線基地局１０との間で行われる無線通信により伝送されるデータの量（通信量）を表す情報である。本例では、通信量情報は、予め設定された時間だけ過去の時点から現時点までの間の通信量を表す。
【００４７】
状態制御部１５は、第１の通信制御部１１を介して、無線端末２０，３０のそれぞれへ情報送信要求を送信する。情報送信要求は、無線端末情報の送信を要求する情報である。
【００４８】
ＲＯＤ無線端末２０は、無線基地局１０から情報送信要求を受信した場合、無線端末情報を無線基地局１０へ送信する。一方、非ＲＯＤ無線端末３０は、無線端末情報を送信しない。
【００４９】
状態制御部１５は、送信した情報送信要求に応じて、予め設定された待機時間内に、無線端末２０，３０から無線端末情報をパケット転送部１４を介して受信した場合、当該無線端末２０，３０に対して、当該無線端末２０，３０が起動指示信号を送信可能である（ＲＯＤ無線端末である）ことを表すＲＯＤ情報と、無線端末情報に含まれる要求レベル情報と、を取得する。
【００５０】
一方、状態制御部１５は、送信した情報送信要求に応じて、上記待機時間内に、無線端末２０，３０から無線端末情報を受信しなかった場合、当該無線端末２０，３０に対して、当該無線端末２０，３０が起動指示信号を送信不能である（非ＲＯＤ無線端末である）ことを表すＲＯＤ情報を取得する。
【００５１】
更に、状態制御部１５は、第１の通信制御部１１が無線端末２０，３０との間で行う無線通信により伝送されたデータの量（通信量）を表す通信量情報を無線端末毎に取得する。
【００５２】
このようにして、状態制御部１５は、無線端末２０，３０のそれぞれに対して、取得された、ＲＯＤ情報、要求レベル情報、及び、通信量情報を含む対応情報を取得する。そして、状態制御部１５は、取得された対応情報をＲＯＤサポート表記憶部１５１に記憶させる。
【００５３】
ＲＯＤレベル選択部１５２は、ＲＯＤサポート表記憶部１５１に記憶されている対応情報に基づいて、複数のＲＯＤレベルの中から１つのＲＯＤレベルを選択（決定）する。本例では、複数のＲＯＤレベルは、０から３までの値を表す４つのＲＯＤレベルである。
【００５４】
電力供給部１６は、第１の通信制御部１１、第２の通信制御部１２、起動指示信号受信部１３、パケット転送部１４、及び、状態制御部１５のそれぞれへ、電力供給線を介して電力を供給可能に構成される。第１の通信制御部１１、第２の通信制御部１２、起動指示信号受信部１３、パケット転送部１４、及び、状態制御部１５のそれぞれは、電力供給部１６により電力が供給されることにより作動するモジュールを構成している。
【００５５】
電力供給部１６は、第１の通信制御部１１、第２の通信制御部１２、起動指示信号受信部１３、パケット転送部１４、及び、状態制御部１５のそれぞれに対して、電力を供給する電力供給状態と、電力の供給を停止する電力遮断状態と、に状態が切り替わるように構成されている。
【００５６】
本例では、第１の通信制御部１１、第２の通信制御部１２、起動指示信号受信部１３、パケット転送部１４、及び、状態制御部１５のすべてに対して、電力供給部１６の状態が電力供給状態に設定されることは、無線基地局１０の状態が起動状態に設定されることに対応している。
【００５７】
また、第２の通信制御部１２、起動指示信号受信部１３、パケット転送部１４、及び、状態制御部１５に対して、電力供給部１６の状態が電力供給状態に設定され、且つ、第１の通信制御部１１に対して、電力供給部１６の状態が電力遮断状態に設定されることは、無線基地局１０の状態がライト・スリープ状態に設定されることに対応している。
【００５８】
なお、第１の通信制御部１１、第２の通信制御部１２、起動指示信号受信部１３、及び、状態制御部１５に対して、電力供給部１６の状態が電力供給状態に設定され、且つ、パケット転送部１４に対して、電力供給部１６の状態が電力遮断状態に設定されることが、無線基地局１０の状態がライト・スリープ状態に設定されることに対応していてもよい。
【００５９】
また、第２の通信制御部１２、起動指示信号受信部１３、及び、状態制御部１５に対して、電力供給部１６の状態が電力供給状態に設定され、且つ、第１の通信制御部１１、及び、パケット転送部１４に対して、電力供給部１６の状態が電力遮断状態に設定されることは、無線基地局１０の状態がミドル・スリープ状態に設定されることに対応している。
【００６０】
また、起動指示信号受信部１３、及び、状態制御部１５に対して、電力供給部１６の状態が電力供給状態に設定され、且つ、第１の通信制御部１１、第２の通信制御部１２、及び、パケット転送部１４に対して、電力供給部１６の状態が電力遮断状態に設定されることは、無線基地局１０の状態がディープ・スリープ状態に設定されることに対応している。
【００６１】
従って、無線基地局１０の状態がディープ・スリープ状態に設定されている場合、無線基地局１０が消費する電力の量（消費電力量）は、他のスリープ状態に比較して少ない。一方、無線基地局１０の状態がライト・スリープ状態に設定されている場合、消費電力量は、他のスリープ状態に比較して多い。
即ち、複数のスリープ状態は、消費電力量が互いに異なる。
【００６２】
また、無線基地局１０の状態を、スリープ状態から起動状態へ変更するために要する遅延時間は、ディープ・スリープ状態が最も長く、ライト・スリープ状態が最も短い。即ち、無線端末２０，３０のユーザに対するＱｏＳ（Ｑｕａｌｉｔｙ  Ｏｆ  Ｓｅｒｖｉｃｅ）は、ディープ・スリープ状態よりもミドル・スリープ状態の方が高く、ミドル・スリープ状態よりもライト・スリープ状態の方が高い。
【００６３】
本例では、状態制御部１５は、ＲＯＤ非対応値としての０を表すＲＯＤレベルと、起動状態と、を予め対応付けている。更に、状態制御部１５は、１を表すＲＯＤレベルと、ライト・スリープ状態と、を予め対応付けている。加えて、状態制御部１５は、２を表すＲＯＤレベルと、ミドル・スリープ状態と、を予め対応付けている。更に、状態制御部１５は、３を表すＲＯＤレベルと、ディープ・スリープ状態と、を予め対応付けている。
【００６４】
状態制御部１５は、ＲＯＤレベル選択部１５２により選択されたＲＯＤレベルがＲＯＤ非対応値（本例では、０）を表す場合、非ＲＯＤ制御を実行する。一方、状態制御部１５は、ＲＯＤレベル選択部１５２により選択されたＲＯＤレベルがＲＯＤ非対応値以外の値を表す場合、ＲＯＤ制御を実行する。
【００６５】
本例では、非ＲＯＤ制御は、無線基地局１０の状態を、常時、起動状態に設定する制御である。
また、ＲＯＤ制御は、無線基地局１０の状態が起動状態である場合において、所定のスリープ条件が成立したとき、無線基地局１０の状態をＲＯＤレベル選択部１５２により選択されたＲＯＤレベルと対応付けられたスリープ状態に設定する制御である。更に、ＲＯＤ制御は、無線基地局１０の状態がスリープ状態である場合において、起動指示信号を受信したとき、無線基地局１０の状態を起動状態に設定する制御である。
【００６６】
例えば、スリープ条件は、現時点よりも、予め設定された第１の閾値時間だけ前の時点から、現時点までの間に、無線通信が行われていない、という条件である。また、スリープ条件は、アイドル時間が予め設定された閾値よりも長い、という条件であってもよい。
【００６７】
ここで、アイドル時間は、無線端末２０，３０と無線基地局１０との間の無線通信が終了した時点から、次の無線通信が開始するまでの時間である。例えば、アイドル時間は、非特許文献１に開示された方法を用いることにより、無線基地局１０により推定される。
【非特許文献１】香川翔一、飯塚宏之、吉村紘一、伊藤哲也、小室信喜、阪田史郎、「無線ＬＡＮアクセスポイントにおけるフロー特性を考慮したスリープ制御」、信学技報、第１１０巻、第４４１号、ＣＳ２０１０−１２４、ｐｐ３０５−３１０、２０１１年３月
【００６８】
更に、状態制御部１５は、無線基地局１０の状態をあるスリープ状態に設定している場合において、所定の移行条件が成立したとき、無線基地局１０の状態を他のスリープ状態に設定するように構成されていてもよい。例えば、移行条件は、現時点よりも、予め設定された第２の閾値時間だけ前の時点から、現時点までの間に、無線通信が行われていない、という条件である。
【００６９】
具体的には、状態制御部１５は、無線基地局１０の状態がライト・スリープ状態である場合において、移行条件が成立したとき、無線基地局１０の状態をミドル・スリープ状態に設定する。更に、状態制御部１５は、無線基地局１０の状態がミドル・スリープ状態である場合において、移行条件が成立したとき、無線基地局１０の状態をディープ・スリープ状態に設定する。
【００７０】
なお、状態制御部１５は、無線基地局１０の状態がライト・スリープ状態である場合において、移行条件が成立したとき、無線基地局１０の状態をディープ・スリープ状態に設定してもよい。
【００７１】
（作動）
次に、上述した無線通信システム１の作動について説明する。
無線基地局１０は、図４にフローチャートにより示した作動状態設定処理を、予め設定された実行周期が経過する毎に、実行するようになっている。なお、無線基地局１０は、無線端末２０，３０との間の無線通信が終了する毎に（無線通信が終了した時点にて）、作動状態設定処理を実行するように構成されていてもよい。
【００７２】
具体的に述べると、無線基地局１０は、作動状態設定処理を開始すると、記憶されている、すべての対応情報を取得する（ステップＳ１０１）。そして、無線基地局１０は、取得された対応情報に基づいて、複数のＲＯＤレベル（本例では、０〜３のそれぞれを表すＲＯＤレベル）の中から、１つのＲＯＤレベルを選択する（ステップＳ１０２）。
【００７３】
例えば、無線基地局１０は、要求レベル情報が表す値が小さくなるほど、小さくなる値を表すＲＯＤレベルを選択する。また、無線基地局１０は、要求レベル情報が表す値の平均値が小さくなるほど、小さくなる値を表すＲＯＤレベルを選択してもよい。
【００７４】
無線基地局１０は、要求レベル情報の平均値と最も近い値を表すＲＯＤレベルを選択する。なお、無線基地局１０は、ＲＯＤ情報の総数（無線基地局１０と無線通信可能な無線端末の数）に対する、「ＲＯＤ可」を表すＲＯＤ情報の数（ＲＯＤ無線端末の数）の割合（ＲＯＤ対応割合）に基づいてＲＯＤレベルを選択してもよい。
【００７５】
ところで、ＲＯＤ対応割合は、無線基地局１０と無線通信可能なすべての無線端末２０，３０のユーザに対するＱｏＳと相関が強い。従って、上記構成によれば、無線基地局１０と無線通信可能なすべての無線端末２０，３０のユーザに対するＱｏＳを十分に高めるように、ＲＯＤレベルを適切に選択することができる。
【００７６】
具体的には、無線基地局１０は、ＲＯＤ対応割合が大きくなるほど、大きくなる値を表す（即ち、消費電力量が小さくなる）ＲＯＤレベルを選択することが好適である。
【００７７】
ところで、ＲＯＤ対応割合が大きくなるほど、非ＲＯＤ無線端末３０のユーザに対するＱｏＳが低下しても、無線基地局１０と無線通信可能なすべての無線端末２０，３０のユーザに対するＱｏＳを十分に高く維持することができる。従って、上記構成によれば、無線基地局１０と無線通信可能なすべての無線端末２０，３０のユーザに対するＱｏＳを十分に高く維持しながら、消費電力量を削減することができる。
【００７８】
例えば、無線基地局１０は、ＲＯＤ対応割合が８０％以上である場合に３を表すＲＯＤレベルを選択し、ＲＯＤ対応割合が５０％以上であり且つ８０％未満である場合に２を表すＲＯＤレベルを選択し、ＲＯＤ対応割合が２０％以上であり且つ５０％未満である場合に１を表すＲＯＤレベルを選択し、ＲＯＤ対応割合が２０％未満である場合に０を表すＲＯＤレベルを選択してもよい。
【００７９】
また、無線基地局１０は、通信量情報が表す通信量が少なくなるほど、大きくなる値を表すＲＯＤレベルを選択するように構成されていてもよい。また、無線基地局１０は、通信量情報が表す通信量の平均値が小さくなるほど、大きくなる値を表すＲＯＤレベルを選択してもよい。
【００８０】
また、無線基地局１０は、要求レベル情報、ＲＯＤ情報、及び、通信量情報のすべて、又は、任意の２つの組み合わせに基づいてＲＯＤレベルを選択してもよい。
【００８１】
次いで、無線基地局１０は、選択されたＲＯＤレベルが０を表すか否かを判定する（ステップＳ１０３）。選択されたＲＯＤレベルが０を表す場合、無線基地局１０は、「Ｙｅｓ」と判定して、作動状態設定処理を終了する。即ち、この場合、無線基地局１０は、無線基地局１０の状態を起動状態に維持する。
【００８２】
一方、選択されたＲＯＤレベルが０以外の値を表す場合、無線基地局１０は、ステップＳ１０３にて「Ｎｏ」と判定してステップＳ１０４へ進む。そして、無線基地局１０は、スリープ条件が成立するか否かを判定する。
【００８３】
スリープ条件が成立しない場合、無線基地局１０は、「Ｎｏ」と判定して、作動状態設定処理を終了する。即ち、この場合、無線基地局１０は、無線基地局１０の状態を起動状態に維持する。
【００８４】
一方、スリープ条件が成立する場合、無線基地局１０は、ステップＳ１０４にて「Ｙｅｓ」と判定してステップＳ１０５へ進む。そして、無線基地局１０は、無線基地局１０の状態を、選択されたＲＯＤレベルに対応付けられたスリープ状態に設定（変更）する。
【００８５】
その後、無線基地局１０は、起動指示信号を受信するまで、無線基地局１０の状態をスリープ状態に維持する（ステップＳ１０６）。そして、無線基地局１０は、起動指示信号を受信すると、ステップＳ１０６にて「Ｙｅｓ」と判定してステップＳ１０７へ進み、無線基地局１０の状態を起動状態に設定する。
その後、無線基地局１０は、作動状態設定処理を終了する。
【００８６】
以上、説明したように、第１実施形態に係る無線基地局１０は、複数のＲＯＤレベルの中から１つのＲＯＤレベルを選択し、当該選択されたＲＯＤレベルに基づいて無線基地局１０の状態を設定するように構成される。
【００８７】
これによれば、ＲＯＤレベルを状況に応じて適切に選択することにより、無線基地局１０の状態を状況に応じて適切に設定することができる。
【００８８】
更に、第１実施形態に係る無線基地局１０は、選択されたＲＯＤレベルがＲＯＤ非対応値（本例では、０）を表す場合、非ＲＯＤ制御を実行し、一方、選択されたＲＯＤレベルがＲＯＤ非対応値以外の値を表す場合、ＲＯＤ制御を実行するように構成される。
【００８９】
これによれば、ＲＯＤ非対応値を表すＲＯＤレベルを選択することにより、起動指示信号を送信不能な無線端末（非ＲＯＤ無線端末３０）との間で確実に無線通信を行うことができる。また、ＲＯＤ非対応値以外の値を表すＲＯＤレベルを選択することにより、無線基地局１０が消費する電力の量を低減することができる。
【００９０】
加えて、第１実施形態に係る無線基地局１０において、ＲＯＤ制御は、無線基地局１０の状態が起動状態である場合において、スリープ条件が成立したとき、無線基地局１０の状態を、選択されたＲＯＤレベルと予め対応付けられたスリープ状態に設定する制御である。
【００９１】
ところで、無線基地局１０が消費する電力の量である消費電力量が大きいスリープ状態ほど、無線基地局１０の状態を起動状態に迅速に変更することができることが多い。従って、消費電力量が大きいスリープ状態ほど、無線端末２０，３０のユーザに対するＱｏＳ（Ｑｕａｌｉｔｙ  Ｏｆ  Ｓｅｒｖｉｃｅ）が高いことが多い。
【００９２】
従って、無線基地局１０によれば、状況に応じた適切なスリープ状態と対応付けられたＲＯＤレベルを選択することにより、無線端末２０，３０のユーザに対するＱｏＳを十分に高くしながら、消費電力量を削減することができる。
【００９３】
図５は、ＲＯＤ非対応割合に対する、１時間あたりの無線基地局１０の消費電力量の変化を示したグラフである。ＲＯＤ非対応割合は、無線基地局１０と無線通信可能な無線端末の数に対する、非ＲＯＤ無線端末の数の割合である。また、一点鎖線Ｃ１は、第１の作動例に係る無線基地局１０に対するグラフである。実線Ｃ２は、第２の作動例に係る無線基地局１０に対するグラフである。
【００９４】
第２の作動例に係る無線基地局１０は、ＲＯＤ非対応割合が０よりも大きい場合、常時、０を表すＲＯＤレベルを選択するように構成される。即ち、第２の作動例に係る無線基地局１０によれば、無線端末２０，３０との間の無線通信を確実に行うことができる。
【００９５】
第１の作動例に係る無線基地局１０は、ＲＯＤ非対応割合が２０％未満である場合、０から３までの値を表すＲＯＤレベルを選択するように構成される。この場合、無線基地局１０が、１時間のうち、５０％の時間だけ起動状態に維持され、１０％の時間だけライト・スリープ状態に維持され、１０％の時間だけミドル・スリープ状態に維持され、３０％の時間だけディープ・スリープ状態に維持されることを想定する。
【００９６】
更に、第１の作動例に係る無線基地局１０は、ＲＯＤ非対応割合が２０％以上であり５０％未満である場合、０から２までの値を表すＲＯＤレベルを選択するように構成される。この場合、無線基地局１０が、１時間のうち、５０％の時間だけ起動状態に維持され、１０％の時間だけライト・スリープ状態に維持され、４０％の時間だけミドル・スリープ状態に維持されることを想定する。
【００９７】
更に、第１の作動例に係る無線基地局１０は、ＲＯＤ非対応割合が５０％以上であり８０％未満である場合、０から１までの値を表すＲＯＤレベルを選択するように構成される。この場合、無線基地局１０が、１時間のうち、５０％の時間だけ起動状態に維持され、５０％の時間だけライト・スリープ状態に維持されることを想定する。
【００９８】
更に、第１の作動例に係る無線基地局１０は、ＲＯＤ非対応割合が８０％以上である場合、常時、０を表すＲＯＤレベルを選択するように構成される。
【００９９】
ここで、無線基地局１０は、状態が起動状態に設定されている場合、８．６Ｗの電力を消費し、状態がライト・スリープ状態に設定されている場合、１．２Ｗの電力を消費し、状態がミドル・スリープ状態に設定されている場合、１．０Ｗの電力を消費し、状態がディープ・スリープ状態に設定されている場合、０．０００１Ｗの電力を消費することが想定されている。
【０１００】
第２の作動例に係る無線基地局１０は、ＲＯＤ非対応割合が０％である場合にのみ、状態がスリープ状態に設定される。従って、この場合にのみ、消費電力量を削減することができる。一方、第１の作動例に係る無線基地局１０は、ＲＯＤ非対応割合が８０％未満である場合において、消費電力量を削減することができる。
【０１０１】
＜第１実施形態の第１変形例＞
次に、本発明の第１実施形態の第１変形例に係る無線通信システムについて説明する。第１変形例に係る無線通信システムは、上記第１実施形態に係る無線通信システムに対して、ポリシー情報に基づいてＲＯＤレベルを選択する点において相違している。従って、以下、かかる相違点を中心として説明する。
【０１０２】
図６に示したように、第１変形例に係る無線基地局１０は、第１実施形態に係る無線基地局１０と同様の構成を有する。更に、第１変形例に係る状態制御部１５は、ポリシー情報設定部１５３を含む。
【０１０３】
ポリシー情報設定部１５３は、無線基地局１０のユーザにより入力されたポリシー情報を受け付け、受け付けられたポリシー情報を記憶する。本例では、ポリシー情報設定部１５３は、１つのポリシー情報のみを記憶する。
【０１０４】
なお、ポリシー情報設定部１５３は、外部装置（例えば、無線端末２０，３０、又は、通信端末４０等）のユーザにより入力されたポリシー情報を受信し、受信されたポリシー情報を記憶するように構成されていてもよい。
【０１０５】
ポリシー情報は、ＲＯＤレベルを優先して選択する順位を決定するための情報である。例えば、ポリシー情報は、「非ＲＯＤサポート最優先」、「ディープ・スリープ優先」、又は、「ライト・スリープ優先」を表す情報である。
【０１０６】
「非ＲＯＤサポート最優先」を表すポリシー情報は、消費電力量を削減することなく、非ＲＯＤ無線端末３０との間の無線通信を確実に行うために、０を表すＲＯＤレベルを最も優先して選択する旨を表す。
【０１０７】
「ディープ・スリープ優先」を表すポリシー情報は、無線基地局１０の状態がスリープ状態に設定される場合、ディープ・スリープ状態に設定されることにより、消費電力量をより大きく削減するために、３を表すＲＯＤレベルを最も優先して選択する旨を表す。
【０１０８】
「ライト・スリープ優先」を表すポリシー情報は、無線基地局１０の状態がスリープ状態に設定される場合、ライト・スリープ状態に設定されることにより、無線基地局１０の状態が起動状態に変更される際の遅延時間を短縮するために、１を表すＲＯＤレベルを最も優先して選択する旨を表す。
【０１０９】
なお、ポリシー情報は、「電力削減最優先」を表す情報であってもよい。「電力削減最優先」を表すポリシー情報は、無線通信が行われていない期間においては、常時、無線基地局１０の状態をスリープ状態に設定する旨を表す。この場合、状態制御部１５は、「電力削減最優先」を表すポリシー情報を記憶している場合、無線通信が行われていない期間においては、常時、無線基地局１０の状態をスリープ状態に設定するように構成されることが好適である。
【０１１０】
状態制御部１５は、ポリシー情報設定部１５３に記憶されているポリシー情報に基づいてＲＯＤレベルを選択する。
【０１１１】
第１変形例に係る無線基地局１０によれば、ポリシー情報を適切に設定することにより、ＲＯＤレベルを適切に選択することができる。
【０１１２】
なお、ポリシー情報設定部１５３は、複数のポリシー情報を記憶するように構成されていてもよい。この場合、状態制御部１５は、記憶されている複数のポリシー情報に基づいてＲＯＤレベルを選択するように構成されることが好適である。
【０１１３】
＜第１実施形態の第２変形例＞
次に、本発明の第１実施形態の第２変形例に係る無線通信システムについて説明する。第２変形例に係る無線通信システムは、上記第１変形例に係る無線通信システムに対して、ポリシー情報と対応情報との両方に基づいてＲＯＤレベルを選択する点において相違している。従って、以下、かかる相違点を中心として説明する。
【０１１４】
第２変形例に係る状態制御部１５は、ＲＯＤサポート表記憶部１５１に記憶されている対応情報と、ポリシー情報設定部１５３に記憶されているポリシー情報と、の両方に基づいてＲＯＤレベルを選択する。
【０１１５】
本例では、無線基地局１０は、図４に示した作動状態設定処理に代えて、図４のステップＳ１０２を、図７のステップＳ２０１〜ステップＳ２０３に置換した処理を実行する。
【０１１６】
より具体的に述べると、無線基地局１０は、ステップＳ２０１に進んだとき、記憶されているポリシー情報が「非ＲＯＤサポート最優先」を表すか否かを判定する。
【０１１７】
記憶されているポリシー情報が「非ＲＯＤサポート最優先」を表す場合、無線基地局１０は、「Ｙｅｓ」と判定してステップＳ２０３へ進み、０を表すＲＯＤレベルを選択し、その後、ステップＳ１０３へ進む。
【０１１８】
記憶されているポリシー情報が「非ＲＯＤサポート最優先」を表さない場合、無線基地局１０は、ステップＳ２０１にて「Ｎｏ」と判定してステップＳ２０２へ進み、ステップＳ１０２と同様に、取得された対応情報に基づいてＲＯＤレベルを選択し、その後、ステップＳ１０３へ進む。
【０１１９】
このような構成によっても、無線基地局１０は、第１変形例に係る無線基地局１０と同様の効果を奏することができる。
【０１２０】
＜第１実施形態の第３変形例＞
次に、本発明の第１実施形態の第３変形例に係る無線通信システムについて説明する。第３変形例に係る無線通信システムは、上記第１変形例に係る無線通信システムに対して、複数のポリシー情報に基づいてＲＯＤレベルを選択する点において相違している。従って、以下、かかる相違点を中心として説明する。
【０１２１】
ポリシー情報設定部１５３は、複数のポリシー情報を受け付けるとともに、受け付けられた複数のポリシー情報を記憶する。
更に、ポリシー情報設定部１５３は、ポリシー情報を選択するための選択基礎情報を受け付け、受け付けられた選択基礎情報を記憶する。
【０１２２】
例えば、選択基礎情報は、ＲＯＤ対応割合が予め設定された基準値以下である場合、「非ＲＯＤサポート最優先」を表すポリシー情報を選択し、一方、ＲＯＤ対応割合が予め設定された基準値よりも大きい場合、「ディープ・スリープ優先」を表すポリシー情報を選択する旨を表す。
【０１２３】
状態制御部１５は、記憶されている複数のポリシー情報の中から、記憶されている選択基礎情報に基づいて１つのポリシー情報を選択し、選択されたポリシー情報に基づいてＲＯＤレベルを選択する。
【０１２４】
これによれば、ポリシー情報の設定をより柔軟に行うことができる。従って、ＲＯＤレベルを適切に選択することができる。
【０１２５】
＜第１実施形態の第４変形例＞
次に、本発明の第１実施形態の第４変形例に係る無線通信システムについて説明する。第４変形例に係る無線通信システムは、上記第１実施形態に係る無線通信システムに対して、起動状態からスリープ状態へ移行する際、徐々に消費電力量を小さくするようにスリープ状態を徐々に変更する点において相違している。従って、以下、かかる相違点を中心として説明する。
【０１２６】
第４変形例に係る状態制御部１５は、起動状態からスリープ状態へ移行する際、徐々に消費電力量を小さくするようにスリープ状態を徐々に変更する。
【０１２７】
具体的には、状態制御部１５は、選択されたＲＯＤレベルに予め対応付けられたスリープ状態がディープ・スリープ状態である場合、スリープ条件が成立したとき、無線基地局１０の状態を、起動状態から、ライト・スリープ状態、ミドル・スリープ状態、及び、ディープ・スリープ状態へ、この順に変更する。
【０１２８】
例えば、図８に示したように、時点ｔ１にてスリープ条件が成立し、ディープ・スリープ状態と対応付けられたＲＯＤレベルが選択された場合、状態制御部１５は、無線基地局１０の状態を起動状態からライト・スリープ状態へ変更する。そして、状態制御部１５は、予め設定された待機時間だけライト・スリープ状態を維持した後、無線基地局１０の状態をライト・スリープ状態からミドル・スリープ状態へ変更する。
【０１２９】
次いで、状態制御部１５は、予め設定された待機時間だけミドル・スリープ状態を維持した後、無線基地局１０の状態をミドル・スリープ状態からディープ・スリープ状態へ変更する。その後、無線基地局１０が起動指示信号を受信すると、状態制御部１５は、無線基地局１０の状態をディープ・スリープ状態から起動状態へ変更する。
【０１３０】
また、状態制御部１５は、選択されたＲＯＤレベルに予め対応付けられたスリープ状態がミドル・スリープ状態である場合、スリープ条件が成立したとき、無線基地局１０の状態を、起動状態から、ライト・スリープ状態、及び、ミドル・スリープ状態へ、この順に変更する。
【０１３１】
例えば、図８に示したように、時点ｔ２にてスリープ条件が成立し、ミドル・スリープ状態と対応付けられたＲＯＤレベルが選択された場合、状態制御部１５は、無線基地局１０の状態を起動状態からライト・スリープ状態へ変更する。そして、状態制御部１５は、予め設定された待機時間だけライト・スリープ状態を維持した後、無線基地局１０の状態をライト・スリープ状態からミドル・スリープ状態へ変更する。
【０１３２】
その後、無線基地局１０が起動指示信号を受信すると、状態制御部１５は、無線基地局１０の状態をミドル・スリープ状態から起動状態へ変更する。
【０１３３】
これによれば、スリープ条件が成立した後、直ちに無線基地局１０が起動指示信号を受信した場合に、無線基地局１０の状態を起動状態へ変更するために要する遅延時間を比較的短くすることができる。従って、無線端末２０，３０のユーザに対するＱｏＳを高めることができる。
【０１３４】
＜第１実施形態の第５変形例＞
次に、本発明の第１実施形態の第５変形例に係る無線通信システムについて説明する。第５変形例に係る無線通信システムは、上記第１実施形態に係る無線通信システムに対して、スリープ状態から起動状態へ移行する際、徐々に消費電力量を大きくするようにスリープ状態を徐々に変更する点において相違している。従って、以下、かかる相違点を中心として説明する。
【０１３５】
第５変形例に係る状態制御部１５は、スリープ状態から起動状態へ移行する際、徐々に消費電力量を大きくするようにスリープ状態を徐々に変更する。
【０１３６】
具体的には、無線基地局１０は、次の無線通信が開始する時点（次回通信開始時点）を推定する。例えば、無線基地局１０は、非特許文献１に開示された方法を用いることにより、次回通信開始時点を推定する。
【０１３７】
状態制御部１５は、無線基地局１０の状態がディープ・スリープ状態である場合、推定された次回通信開始時点よりも予め設定された準備時間だけ前の時点にて、無線基地局１０の状態を、ディープ・スリープ状態から、ミドル・スリープ状態、ライト・スリープ状態、及び、起動状態へ、この順に変更する。
【０１３８】
例えば、図９に示したように、無線基地局１０の状態がディープ・スリープ状態である場合、次回通信開始時点ｔ１よりも準備時間だけ前の時点にて、状態制御部１５は、無線基地局１０の状態をディープ・スリープ状態からミドル・スリープ状態へ変更する。そして、状態制御部１５は、予め設定された待機時間だけミドル・スリープ状態を維持した後、無線基地局１０の状態をミドル・スリープ状態からライト・スリープ状態へ変更する。
【０１３９】
その後、無線基地局１０が起動指示信号を受信すると、状態制御部１５は、無線基地局１０の状態をライト・スリープ状態から起動状態へ変更する。
【０１４０】
また、状態制御部１５は、無線基地局１０の状態がミドル・スリープ状態である場合、推定された次回通信開始時点よりも予め設定された準備時間だけ前の時点にて、無線基地局１０の状態を、ミドル・スリープ状態から、ライト・スリープ状態、及び、起動状態へ、この順に変更する。
【０１４１】
例えば、図９に示したように、無線基地局１０の状態がミドル・スリープ状態である場合、次回通信開始時点ｔ２よりも準備時間だけ前の時点にて、状態制御部１５は、無線基地局１０の状態をミドル・スリープ状態からライト・スリープ状態へ変更する。
【０１４２】
その後、無線基地局１０が起動指示信号を受信すると、状態制御部１５は、無線基地局１０の状態をライト・スリープ状態から起動状態へ変更する。
【０１４３】
ところで、消費電力量が大きいスリープ状態ほど、無線基地局１０の状態を起動状態に迅速に変更することができることが多い。従って、上記構成によれば、無線基地局１０が起動指示信号を受信した場合に、無線基地局１０の状態を起動状態に迅速に変更することができる。
【０１４４】
＜第１実施形態の第６変形例＞
次に、本発明の第１実施形態の第６変形例に係る無線通信システムについて説明する。第６変形例に係る無線通信システムは、上記第１実施形態に係る無線通信システムに対して、起動状態からスリープ状態へ移行する際、徐々に消費電力量を小さくするようにスリープ状態を徐々に変更し、且つ、スリープ状態から起動状態へ移行する際、徐々に消費電力量を大きくするようにスリープ状態を徐々に変更する点において相違している。従って、以下、かかる相違点を中心として説明する。
【０１４５】
第６変形例に係る状態制御部１５は、起動状態からスリープ状態へ移行する際、徐々に消費電力量を小さくするようにスリープ状態を徐々に変更し、且つ、スリープ状態から起動状態へ移行する際、徐々に消費電力量を大きくするようにスリープ状態を徐々に変更する。即ち、第６変形例に係る状態制御部１５は、第４変形例に係る状態制御部１５と、第５変形例に係る状態制御部１５と、を組み合わせた機能を有する。
【０１４６】
従って、例えば、図１０に示したように、時点ｔ１にてスリープ条件が成立し、ディープ・スリープ状態と対応付けられたＲＯＤレベルが選択された場合、状態制御部１５は、無線基地局１０の状態を起動状態からライト・スリープ状態へ変更する。そして、状態制御部１５は、予め設定された待機時間だけライト・スリープ状態を維持した後、無線基地局１０の状態をライト・スリープ状態からミドル・スリープ状態へ変更する。
【０１４７】
次いで、状態制御部１５は、予め設定された待機時間だけミドル・スリープ状態を維持した後、無線基地局１０の状態をミドル・スリープ状態からディープ・スリープ状態へ変更する。
【０１４８】
その後、次回通信開始時点ｔ２よりも準備時間だけ前の時点にて、状態制御部１５は、無線基地局１０の状態をディープ・スリープ状態からミドル・スリープ状態へ変更する。そして、状態制御部１５は、予め設定された待機時間だけミドル・スリープ状態を維持した後、無線基地局１０の状態をミドル・スリープ状態からライト・スリープ状態へ変更する。
【０１４９】
その後、無線基地局１０が起動指示信号を受信すると、状態制御部１５は、無線基地局１０の状態をライト・スリープ状態から起動状態へ変更する。
【０１５０】
また、例えば、図１０に示したように、時点ｔ３にてスリープ条件が成立し、ミドル・スリープ状態と対応付けられたＲＯＤレベルが選択された場合、状態制御部１５は、無線基地局１０の状態を起動状態からライト・スリープ状態へ変更する。そして、状態制御部１５は、予め設定された待機時間だけライト・スリープ状態を維持した後、無線基地局１０の状態をライト・スリープ状態からミドル・スリープ状態へ変更する。
【０１５１】
その後、次回通信開始時点ｔ４よりも準備時間だけ前の時点にて、状態制御部１５は、無線基地局１０の状態をミドル・スリープ状態からライト・スリープ状態へ変更する。その後、無線基地局１０が起動指示信号を受信すると、状態制御部１５は、無線基地局１０の状態をライト・スリープ状態から起動状態へ変更する。
【０１５２】
これによれば、第４変形例に係る無線基地局１０が奏する効果、及び、第５変形例に係る無線基地局１０が奏する効果の両方を奏することができる。
【０１５３】
＜第２実施形態＞
次に、本発明の第２実施形態に係る無線通信システムについて説明する。第２実施形態に係る無線通信システムは、上記第１実施形態に係る無線通信システムに対して、アイドル時間及び次回通信時間を推定し、推定されたアイドル時間及び次回通信時間に基づいて無線基地局の状態を設定する点において相違している。従って、以下、かかる相違点を中心として説明する。
【０１５４】
状態制御部１５は、無線端末２０，３０との間の無線通信が終了した時点にて、アイドル時間を推定する。アイドル時間は、無線端末２０，３０と無線基地局１０との間の無線通信が終了した時点から、次の無線通信が開始するまでの時間である。例えば、状態制御部１５は、非特許文献１に開示された方法を用いることにより、アイドル時間を推定する。
【０１５５】
状態制御部１５は、無線基地局１０の状態が起動状態である場合において、推定されたアイドル時間が、予め設定された第１の閾値よりも長いとき、無線基地局１０の状態を、選択されたＲＯＤレベルに対応付けられたスリープ状態に設定する。
【０１５６】
一方、状態制御部１５は、無線基地局１０の状態が起動状態である場合において、推定されたアイドル時間が、第１の閾値よりも短い場合、無線基地局１０の状態を起動状態に維持する。
【０１５７】
即ち、本例では、スリープ条件は、推定されたアイドル時間が、予め設定された第１の閾値よりも長いという条件である、と言うことができる。
【０１５８】
従って、例えば、図１１に示したように、無線端末２０，３０との間の無線通信が終了した時点ｔ１にて、状態制御部１５がアイドル時間Ｔ１を推定した場合を想定する。更に、無線端末２０，３０との間の無線通信が終了した時点ｔ３にて、状態制御部１５がアイドル時間Ｔ２を推定した場合を想定する。ここで、アイドル時間Ｔ１は、第１の閾値よりも短く、一方、アイドル時間Ｔ２は、第１の閾値よりも長い場合を想定する。
【０１５９】
この場合、状態制御部１５は、時点ｔ１にて、無線基地局１０の状態を起動状態に維持する。即ち、状態制御部１５は、時点ｔ１から時点ｔ２までの期間において、無線基地局１０の状態を起動状態に維持する。
【０１６０】
一方、状態制御部１５は、時点ｔ３にて、無線基地局１０の状態をスリープ状態に変更する。即ち、状態制御部１５は、時点ｔ３から時点ｔ４までの期間において、無線基地局１０の状態をスリープ状態に設定する。
【０１６１】
また、状態制御部１５は、無線基地局１０が起動指示信号を受信した場合、次回通信時間を推定する。なお、状態制御部１５は、無線端末２０，３０との間の無線通信が終了した時点にて、次回通信時間を推定するように構成されていてもよい。
【０１６２】
次回通信時間は、無線端末２０，３０と無線基地局１０との間の無線通信が終了した場合における、次の無線通信である次回通信が開始してから当該次回通信が終了するまでの時間である。例えば、状態制御部１５は、非特許文献１に開示された方法を用いることにより、次回通信時間を推定する。
【０１６３】
状態制御部１５は、推定された次回通信時間が予め設定された第２の閾値よりも短い場合において、次回通信を開始するためにＲＯＤ無線端末２０によって送信される起動指示信号を受信したとき、無線基地局１０の状態をスリープ状態に維持する。
【０１６４】
一方、状態制御部１５は、推定された次回通信時間が第２の閾値よりも長い場合において、次回通信を開始するためにＲＯＤ無線端末２０によって送信される起動指示信号を受信したとき、無線基地局１０の状態を起動状態に設定する。
【０１６５】
従って、例えば、図１２に示したように、無線基地局１０の状態がスリープ状態に設定されている場合において、起動指示信号を受信した時点ｔ５にて、状態制御部１５が次回通信時間Ｔ３を推定した場合を想定する。更に、無線基地局１０の状態がスリープ状態に設定されている場合において、起動指示信号を受信した時点ｔ７にて、状態制御部１５が次回通信時間Ｔ４を推定した場合を想定する。ここで、次回通信時間Ｔ３は、第２の閾値よりも短く、一方、次回通信時間Ｔ４は、第２の閾値よりも長い場合を想定する。
【０１６６】
この場合、状態制御部１５は、時点ｔ５にて、無線基地局１０の状態をスリープ状態に維持する。即ち、状態制御部１５は、時点ｔ５から時点ｔ６までの期間において、無線基地局１０の状態をスリープ状態に維持する。
【０１６７】
一方、状態制御部１５は、時点ｔ７にて、無線基地局１０の状態を起動状態に変更する。即ち、状態制御部１５は、時点ｔ７から時点ｔ８までの期間において、無線基地局１０の状態を起動状態に設定する。
【０１６８】
（作動）
次に、上述した無線通信システム１の作動について、より具体的に説明する。
本例では、無線基地局１０は、図４に示した作動状態設定処理に代えて、図４のステップＳ１０４〜ステップＳ１０７を、図１３のステップＳ３０１〜ステップＳ３０７に置換した処理を実行する。
【０１６９】
更に、無線基地局１０は、無線端末２０，３０との間の無線通信が終了する毎に（無線通信が終了した時点にて）、作動状態設定処理を実行する。
【０１７０】
従って、無線基地局１０は、ステップＳ１０３にて「Ｎｏ」と判定したとき、ステップＳ３０１へ進む。そして、無線基地局１０は、アイドル時間を推定する。次いで、無線基地局１０は、推定されたアイドル時間が第１の閾値よりも長いか否かを判定する（ステップＳ３０２）。
【０１７１】
推定されたアイドル時間が第１の閾値以下である場合、無線基地局１０は、「Ｎｏ」と判定して作動状態設定処理を終了する。
一方、推定されたアイドル時間が第１の閾値よりも長い場合、無線基地局１０は、ステップＳ３０２にて「Ｙｅｓ」と判定してステップＳ３０３へ進む。
【０１７２】
そして、無線基地局１０は、無線基地局１０の状態を、選択されたＲＯＤレベルに対応付けられたスリープ状態に設定する。次いで、無線基地局１０は、起動指示信号を受信するまで待機する（ステップＳ３０４）。
【０１７３】
そして、無線基地局１０は、起動指示信号を受信すると、「Ｙｅｓ」と判定してステップＳ３０５へ進み、次回通信時間を推定する。次いで、無線基地局１０は、推定された次回通信時間が第２の閾値よりも長いか否かを判定する（ステップＳ３０６）。
【０１７４】
推定された次回通信時間が第２の閾値以下である場合、無線基地局１０は、「Ｎｏ」と判定してステップＳ３０４へ戻り、再び起動指示信号を受信するまで待機する。
一方、推定された次回通信時間が第２の閾値よりも長い場合、無線基地局１０は、ステップＳ３０６にて「Ｙｅｓ」と判定してステップＳ３０７進み、無線基地局１０の状態を起動状態に設定する。その後、無線基地局１０は、作動状態設定処理を終了する。
【０１７５】
以上、説明したように、第２実施形態に係る無線基地局１０は、推定されたアイドル時間が予め設定された第１の閾値よりも長い場合、無線基地局１０の状態をスリープ状態に設定する。
【０１７６】
ところで、無線基地局１０の状態を変更するためには、所定の遅延時間を要する。従って、アイドル時間が比較的短い場合、無線基地局１０の状態をスリープ状態に設定しても、消費電力量を十分に削減できない可能性が比較的高い。従って、上記構成によれば、無線基地局１０の状態が無駄にスリープ状態に変更されることを回避することができる。
【０１７７】
加えて、第２実施形態に係る無線基地局１０は、推定された次回通信時間が第２の閾値よりも短い場合、次回通信を開始するためにＲＯＤ無線端末２０によって送信される起動指示信号を受信したとき、無線基地局１０の状態をスリープ状態に維持する。
【０１７８】
ところで、無線基地局１０の状態を変更するためには、所定の遅延時間を要する。従って、次回通信時間が比較的短い場合、次回通信を実行できない可能性が比較的高い。また、この場合、次回通信において伝送されるデータ量も比較的少ない。従って、上記構成によれば、無線基地局１０の状態が無駄に起動状態に変更されることを回避することができる。
【０１７９】
＜第２実施形態の第１変形例＞
次に、本発明の第２実施形態の第１変形例に係る無線通信システムについて説明する。第１変形例に係る無線通信システムは、上記第２実施形態に係る無線通信システムに対して、選択されたＲＯＤレベルに基づいて第１の閾値及び第２の閾値を設定する点において相違している。従って、以下、かかる相違点を中心として説明する。
【０１８０】
状態制御部１５は、選択されたＲＯＤレベルと予め対応付けられた値を第１の閾値として用いる。本例では、状態制御部１５は、選択されたＲＯＤレベルが表す値が大きくなるほど小さくなる値を第１の閾値として用いる。
【０１８１】
ところで、第１の閾値が小さくなるほど、無線基地局１０の状態がスリープ状態に設定されている期間が長くなる。従って、上記構成によれば、選択されたＲＯＤレベルが表す値が大きくなるほど、消費電力量を少なくすることができる。
【０１８２】
更に、状態制御部１５は、選択されたＲＯＤレベルと予め対応付けられた値を第２の閾値として用いる。本例では、状態制御部１５は、選択されたＲＯＤレベルが表す値が大きくなるほど大きくなる値を第２の閾値として用いる。
【０１８３】
ところで、第２の閾値が大きくなるほど、無線基地局１０の状態がスリープ状態に設定されている期間が長くなる。従って、上記構成によれば、選択されたＲＯＤレベルが表す値が大きくなるほど、消費電力量を少なくすることができる。
【０１８４】
なお、無線基地局１０は、第１の閾値、及び、第２の閾値の一方のみを、ＲＯＤレベルに基づいて決定するように構成されていてもよい。
【０１８５】
＜第３実施形態＞
次に、本発明の第３実施形態に係る無線基地局について図１４を参照しながら説明する。
第３実施形態に係る無線基地局５０は、少なくとも１つの無線端末と無線通信を実行可能に構成された無線基地局である。
【０１８６】
更に、この無線基地局５０は、
起動状態、及び、少なくとも１つのスリープ状態のいずれかの作動状態に当該無線基地局の状態を設定する作動状態設定部（作動状態設定手段）５１を備える。
【０１８７】
上記起動状態は、上記無線端末と予め定められた第１の通信方式に従った無線通信を実行可能な状態である。
上記スリープ状態は、信号を受信するために必要とされる電力が上記第１の通信方式よりも小さい第２の通信方式に従った起動指示信号を受信可能であり且つ上記無線端末と当該第１の通信方式に従った無線通信を実行不能な状態である。
【０１８８】
作動状態設定部５１は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成される。
【０１８９】
これによれば、ＲＯＤレベルを状況に応じて適切に選択することにより、無線基地局５０の状態を状況に応じて適切に設定することができる。
【０１９０】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１９１】
なお、上記各実施形態において無線基地局１０の各機能は、回路等のハードウェアにより実現されていた。ところで、無線基地局１０は、処理装置と、プログラム（ソフトウェア）を記憶する記憶装置と、を備えるとともに、処理装置がそのプログラムを実行することにより、各機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１９２】
また、上記実施形態の他の変形例として、上述した実施形態及び変形例の任意の組み合わせが採用されてもよい。
【０１９３】
＜付記＞
上記実施形態の一部又は全部は、以下の付記のように記載され得るが、以下には限られない。
【０１９４】
（付記１）
少なくとも１つの無線端末と無線通信を実行可能に構成された無線基地局であって、
起動状態、及び、少なくとも１つのスリープ状態のいずれかの作動状態に当該無線基地局の状態を設定する作動状態設定手段を備え、
前記起動状態は、前記無線端末と予め定められた第１の通信方式に従った無線通信を実行可能な状態であり、
前記スリープ状態は、信号を受信するために必要とされる電力が前記第１の通信方式よりも小さい第２の通信方式に従った起動指示信号を受信可能であり且つ前記無線端末と当該第１の通信方式に従った無線通信を実行不能な状態であり、
前記作動状態設定手段は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成された無線基地局。
【０１９５】
これによれば、ＲＯＤレベルを状況に応じて適切に選択することにより、無線基地局の状態を状況に応じて適切に設定することができる。
【０１９６】
（付記２）
付記１に記載の無線基地局であって、
前記作動状態設定手段は、
前記選択されたＲＯＤレベルがＲＯＤ非対応値を表す場合、非ＲＯＤ制御を実行し、一方、前記選択されたＲＯＤレベルがＲＯＤ非対応値以外の値を表す場合、ＲＯＤ制御を実行するように構成され、
前記非ＲＯＤ制御は、
前記起動状態に当該無線基地局の状態を設定し、
前記ＲＯＤ制御は、
当該無線基地局の状態が前記起動状態である場合において、所定のスリープ条件が成立したとき、当該無線基地局の状態を前記スリープ状態に設定し、且つ、
当該無線基地局の状態が前記スリープ状態である場合において、前記起動指示信号を受信したとき、当該無線基地局の状態を前記起動状態に設定する、無線基地局。
【０１９７】
これによれば、ＲＯＤ非対応値を表すＲＯＤレベルを選択することにより、起動指示信号を送信不能な無線端末との間で確実に無線通信を行うことができる。また、ＲＯＤ非対応値以外の値を表すＲＯＤレベルを選択することにより、無線基地局が消費する電力の量を低減することができる。
【０１９８】
（付記３）
付記２に記載の無線基地局であって、
前記作動状態設定手段は、
前記起動状態、及び、複数の前記スリープ状態のいずれかの作動状態に当該無線基地局の状態を設定するように構成され、
前記複数のスリープ状態は、当該無線基地局が消費する電力の量である消費電力量が互いに異なり、
前記ＲＯＤ制御は、
当該無線基地局の状態が前記起動状態である場合において、前記スリープ条件が成立したとき、当該無線基地局の状態を、前記選択されたＲＯＤレベルと予め対応付けられたスリープ状態に設定する、無線基地局。
【０１９９】
ところで、無線基地局が消費する電力の量である消費電力量が大きいスリープ状態ほど、無線基地局の状態を起動状態に迅速に変更することができることが多い。従って、消費電力量が大きいスリープ状態ほど、無線端末のユーザに対するＱｏＳ（Ｑｕａｌｉｔｙ  Ｏｆ  Ｓｅｒｖｉｃｅ）が高いことが多い。
【０２００】
従って、上記構成によれば、状況に応じた適切なスリープ状態と対応付けられたＲＯＤレベルを選択することにより、無線端末のユーザに対するＱｏＳを十分に高くしながら、消費電力量を削減することができる。
【０２０１】
（付記４）
付記３に記載の無線基地局であって、
電力が供給されることにより作動する複数のモジュールを備えるとともに、当該複数のモジュールのそれぞれへの電力の供給を停止可能に構成され、
前記複数のスリープ状態のそれぞれは、当該スリープ状態と予め対応付けられたモジュールへの電力の供給を停止させる状態である無線基地局。
【０２０２】
（付記５）
付記３又は付記４に記載の無線基地局であって、
前記作動状態設定手段は、
当該無線基地局の状態を、前記起動状態から、前記選択されたＲＯＤレベルと予め対応付けられたスリープ状態へ移行させる際、前記消費電力量が徐々に小さくなるように当該無線基地局の状態を変更するように構成された無線基地局。
【０２０３】
これによれば、スリープ条件が成立した後、直ちに無線基地局が起動指示信号を受信した場合に、無線基地局の状態を起動状態へ変更するために要する遅延時間を比較的短くすることができる。従って、無線端末のユーザに対するＱｏＳを高めることができる。
【０２０４】
（付記６）
付記３乃至付記５のいずれかに記載の無線基地局であって、
前記作動状態設定手段は、
当該無線基地局の状態を、前記スリープ状態から前記起動状態へ移行させる際、前記消費電力量が徐々に大きくなるように当該無線基地局の状態を変更するように構成された無線基地局。
【０２０５】
ところで、無線基地局が消費する電力の量である消費電力量が大きいスリープ状態ほど、無線基地局の状態を起動状態に迅速に変更することができることが多い。従って、上記構成によれば、例えば、スリープ状態から起動状態へ移行する時点を推定し、推定された時点に向けて、無線基地局の状態を、消費電力量がより大きくなるスリープ状態へ、順次、変更することにより、無線基地局の状態を起動状態に迅速に変更することができる。
【０２０６】
（付記７）
付記２乃至付記６のいずれかに記載の無線基地局であって、
前記作動状態設定手段は、
前記無線端末と当該無線基地局との間の無線通信が終了した場合、当該無線通信が終了した時点から、次の無線通信が開始するまでのアイドル時間を推定するように構成され、
前記スリープ条件は、前記推定されたアイドル時間が予め設定された第１の閾値よりも長いという条件である無線基地局。
【０２０７】
ところで、無線基地局の状態を変更するためには、所定の遅延時間を要する。従って、アイドル時間が比較的短い場合、無線基地局の状態をスリープ状態に設定しても、消費電力量を十分に削減できない可能性が比較的高い。従って、上記構成によれば、無線基地局の状態が無駄にスリープ状態に変更されることを回避することができる。
【０２０８】
（付記８）
付記７に記載の無線基地局であって、
前記作動状態設定手段は、前記選択されたＲＯＤレベルと予め対応付けられた値を前記第１の閾値として用いるように構成された無線基地局。
【０２０９】
ところで、第１の閾値が小さくなるほど、無線基地局の状態がスリープ状態に設定されている期間が長くなる。従って、上記構成によれば、ＲＯＤレベル毎に消費電力量を異ならせることができる。
【０２１０】
（付記９）
付記２乃至付記８のいずれかに記載の無線基地局であって、
前記作動状態設定手段は、
前記無線端末と当該無線基地局との間の無線通信が終了した場合、次の無線通信である次回通信が開始してから当該次回通信が終了するまでの次回通信時間を推定するように構成され、且つ、
前記推定された次回通信時間が予め設定された第２の閾値よりも短い場合、前記次回通信を開始するために前記無線端末によって送信される前記起動指示信号を受信したとき、当該無線基地局の状態を前記スリープ状態に維持するように構成された無線基地局。
【０２１１】
ところで、無線基地局の状態を変更するためには、所定の遅延時間を要する。従って、次回通信時間が比較的短い場合、次回通信を実行できない可能性が比較的高い。また、この場合、次回通信において伝送されるデータ量も比較的少ない。従って、上記構成によれば、無線基地局の状態が無駄に起動状態に変更されることを回避することができる。
【０２１２】
（付記１０）
付記９に記載の無線基地局であって、
前記作動状態設定手段は、前記選択されたＲＯＤレベルと予め対応付けられた値を前記第２の閾値として用いるように構成された無線基地局。
【０２１３】
ところで、第２の閾値が大きくなるほど、無線基地局の状態がスリープ状態に設定されている期間が長くなる。従って、上記構成によれば、ＲＯＤレベル毎に消費電力量を異ならせることができる。
【０２１４】
（付記１１）
付記１乃至付記１０のいずれかに記載の無線基地局であって、
前記作動状態設定手段は、
前記無線端末により送信された無線端末情報を受信し、当該受信された無線端末情報に基づいて前記ＲＯＤレベルを選択するように構成された無線基地局。
【０２１５】
これによれば、例えば、無線端末の性能、又は、無線端末のユーザの要求に応じて、ＲＯＤレベルを選択することができる。
【０２１６】
（付記１２）
付記１乃至付記１１のいずれかに記載の無線基地局であって、
前記作動状態設定手段は、
前記ＲＯＤレベルを優先して選択する順位を決定するためのポリシー情報を受け付け、当該受け付けられたポリシー情報に基づいて前記ＲＯＤレベルを選択するように構成された無線基地局。
【０２１７】
これによれば、ポリシー情報を適切に設定することにより、ＲＯＤレベルを適切に選択することができる。
【０２１８】
（付記１３）
付記１２に記載の無線基地局であって、
前記作動状態設定手段は、
複数の前記ポリシー情報を受け付けるとともに、ポリシー情報を選択するための選択基礎情報を受け付け、当該受け付けられた複数のポリシー情報の中から、当該受け付けられた選択基礎情報に基づいて１つのポリシー情報を選択し、当該選択されたポリシー情報に基づいて前記ＲＯＤレベルを選択するように構成された無線基地局。
【０２１９】
これによれば、ポリシー情報の設定をより柔軟に行うことができる。従って、ＲＯＤレベルを適切に選択することができる。
【０２２０】
（付記１４）
付記１乃至付記１３のいずれかに記載の無線基地局であって、
前記無線端末は、前記起動指示信号を送信可能なＲＯＤ無線端末、又は、当該起動指示信号を送信不能な非ＲＯＤ無線端末であり、
前記作動状態設定手段は、
当該無線基地局と無線通信可能な前記無線端末の数に対する、前記ＲＯＤ無線端末の数の割合であるＲＯＤ対応割合に基づいて前記ＲＯＤレベルを選択するように構成された無線基地局。
【０２２１】
ところで、ＲＯＤ対応割合は、無線基地局と無線通信可能なすべての無線端末のユーザに対するＱｏＳと相関が強い。従って、上記構成によれば、無線基地局と無線通信可能なすべての無線端末のユーザに対するＱｏＳを十分に高めるように、ＲＯＤレベルを適切に選択することができる。
【０２２２】
（付記１５）
付記１４に記載の無線基地局であって、
前記作動状態設定手段は、
前記ＲＯＤレベル毎に、当該無線基地局が消費する電力の量である消費電力量が異なるように当該無線基地局の状態を設定するように構成され、且つ、
前記ＲＯＤ対応割合が大きくなるほど、前記消費電力量が小さくなるＲＯＤレベルを選択するように構成された無線基地局。
【０２２３】
ところで、ＲＯＤ対応割合が大きくなるほど、非ＲＯＤ無線端末のユーザに対するＱｏＳが低下しても、無線基地局と無線通信可能なすべての無線端末のユーザに対するＱｏＳを十分に高く維持することができる。従って、上記構成によれば、無線基地局と無線通信可能なすべての無線端末のユーザに対するＱｏＳを十分に高く維持しながら、消費電力量を削減することができる。
【０２２４】
（付記１６）
付記１乃至付記１５のいずれかに記載の無線基地局であって、
当該無線基地局の状態が前記起動状態に設定されている場合、予め設定された送信周期が経過する毎に、当該無線基地局と無線通信可能であることを通知するためのビーコン信号を送信するように構成された無線基地局。
【０２２５】
（付記１７）
少なくとも１つの無線端末と無線通信を実行可能に構成された無線基地局に適用される無線基地局制御方法であって、
起動状態、及び、少なくとも１つのスリープ状態のいずれかの作動状態に当該無線基地局の状態を設定し、
前記起動状態は、前記無線端末と予め定められた第１の通信方式に従った無線通信を実行可能な状態であり、
前記スリープ状態は、信号を受信するために必要とされる電力が前記第１の通信方式よりも小さい第２の通信方式に従った起動指示信号を受信可能であり且つ前記無線端末と当該第１の通信方式に従った無線通信を実行不能な状態であり、
前記無線基地局制御方法は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成された無線基地局制御方法。
【０２２６】
（付記１８）
付記１７に記載の無線基地局制御方法であって、
前記選択されたＲＯＤレベルがＲＯＤ非対応値を表す場合、非ＲＯＤ制御を実行し、一方、前記選択されたＲＯＤレベルがＲＯＤ非対応値以外の値を表す場合、ＲＯＤ制御を実行するように構成され、
前記非ＲＯＤ制御は、
前記起動状態に当該無線基地局の状態を設定し、
前記ＲＯＤ制御は、
当該無線基地局の状態が前記起動状態である場合において、所定のスリープ条件が成立したとき、当該無線基地局の状態を前記スリープ状態に設定し、且つ、
当該無線基地局の状態が前記スリープ状態である場合において、前記起動指示信号を受信したとき、当該無線基地局の状態を前記起動状態に設定する、無線基地局制御方法。
【０２２７】
（付記１９）
付記１８に記載の無線基地局制御方法であって、
前記起動状態、及び、複数の前記スリープ状態のいずれかの作動状態に当該無線基地局の状態を設定し、
前記複数のスリープ状態は、当該無線基地局が消費する電力の量である消費電力量が互いに異なり、
前記ＲＯＤ制御は、
当該無線基地局の状態が前記起動状態である場合において、前記スリープ条件が成立したとき、当該無線基地局の状態を、前記選択されたＲＯＤレベルと予め対応付けられたスリープ状態に設定する、無線基地局制御方法。
【０２２８】
（付記２０）
少なくとも１つの無線端末と無線通信を実行可能に構成された無線基地局が実行する無線基地局制御プログラムであって、
前記無線基地局に、
起動状態、及び、少なくとも１つのスリープ状態のいずれかの作動状態に当該無線基地局の状態を設定する処理を実行させるように構成され、
前記起動状態は、前記無線端末と予め定められた第１の通信方式に従った無線通信を実行可能な状態であり、
前記スリープ状態は、信号を受信するために必要とされる電力が前記第１の通信方式よりも小さい第２の通信方式に従った起動指示信号を受信可能であり且つ前記無線端末と当該第１の通信方式に従った無線通信を実行不能な状態であり、
前記処理は、
複数のＲＯＤ（Ｒａｄｉｏ  ｏｎ  Ｄｅｍａｎｄ）レベルの中から１つのＲＯＤレベルを選択し、当該選択されたＲＯＤレベルに基づいて当該無線基地局の状態を設定するように構成された無線基地局制御プログラム。
【０２２９】
（付記２１）
付記２０に記載の無線基地局制御プログラムであって、
前記処理は、
前記選択されたＲＯＤレベルがＲＯＤ非対応値を表す場合、非ＲＯＤ制御を実行し、一方、前記選択されたＲＯＤレベルがＲＯＤ非対応値以外の値を表す場合、ＲＯＤ制御を実行するように構成され、
前記非ＲＯＤ制御は、
前記起動状態に当該無線基地局の状態を設定し、
前記ＲＯＤ制御は、
当該無線基地局の状態が前記起動状態である場合において、所定のスリープ条件が成立したとき、当該無線基地局の状態を前記スリープ状態に設定し、且つ、
当該無線基地局の状態が前記スリープ状態である場合において、前記起動指示信号を受信したとき、当該無線基地局の状態を前記起動状態に設定する、無線基地局制御プログラム。
【０２３０】
（付記２２）
付記２１に記載の無線基地局制御プログラムであって、
前記処理は、
前記起動状態、及び、複数の前記スリープ状態のいずれかの作動状態に当該無線基地局の状態を設定するように構成され、
前記複数のスリープ状態は、当該無線基地局が消費する電力の量である消費電力量が互いに異なり、
前記ＲＯＤ制御は、
当該無線基地局の状態が前記起動状態である場合において、前記スリープ条件が成立したとき、当該無線基地局の状態を、前記選択されたＲＯＤレベルと予め対応付けられたスリープ状態に設定する、無線基地局制御プログラム。
【産業上の利用可能性】
【０２３１】
本発明は、少なくとも１つの無線端末と無線通信を実行可能に構成された無線基地局等に適用可能である。
【符号の説明】
【０２３２】
１      無線通信システム
１０    無線基地局
１１    第１の通信制御部
１２    第２の通信制御部
１３    起動指示信号受信部
１４    パケット転送部
１５    状態制御部
１５１  ＲＯＤサポート表記憶部
１５２  ＲＯＤレベル選択部
１５３  ポリシー情報設定部
１６    電力供給部
２０    ＲＯＤ無線端末
３０    非ＲＯＤ無線端末
４０    通信端末
５０    無線基地局
５１    作動状態設定部
ＮＷ    通信網
【図１】
0005950328.tif 000002
【図２】
0005950328.tif 000003
【図３】
0005950328.tif 000004
【図４】
0005950328.tif 000005
【図５】
0005950328.tif 000006
【図６】
0005950328.tif 000007
【図７】
0005950328.tif 000008
【図８】
0005950328.tif 000009
【図９】
0005950328.tif 000010
【図１０】
0005950328.tif 000011
【図１１】
0005950328.tif 000012
【図１２】
0005950328.tif 000013
【図１３】
0005950328.tif 000014
【図１４】
0005950328.tif 000015